(57)【要約】【課題】  紙おむつ本体を幼児の肩に掛ける吊り紐で支持することにより、紙おむつ本体がズレ落ちるのを防止できるようにする。【解決手段】  パンツタイプの紙おむつ本体１の胴回り部２に、その腹側口縁２ａと背側口縁２ｂとを連結し且つ幼児の肩に掛ける吊り紐３，３を設けて、紙おむつ本体１のサイズが幼児の体型と合わない場合にも、吊り紐３，３を幼児の肩に掛けた状態で紙おむつ本体１を装着することにより、紙おむつ本体１がズレ落ちるということがなくなるようにしている。【選択図】        図１
2006149588.tif 000002
【特許請求の範囲】
【請求項１】
外装を形成する不織布よりなるバックシートと、着用者の肌に接して不織布よりなるトップシートと、該両シート間の股間部に設けられた吸収体とを有し、胴回りの開口径と脚回りの開口径の比率が複数段階で予じめ設定されているパンツタイプの使い捨て紙おむつであって、該パンツタイプの紙おむつ本体の胴回り部には、前記バックシートにおける腹側口縁と背側口縁とを連結し且つ前記吸収体を持ち上げ方向に作用させるべく幼児の肩に掛ける吊り紐を設けたことを特徴とする使い捨て紙おむつ。
【請求項２】
前記吊り紐を、弾性伸縮する紐部材により構成したことを特徴とする請求項１記載の使い捨て紙おむつ。
【請求項３】
前記吊り紐を、その肩部以外の部分に弾性伸縮する部材を配設してなる紐部材により構成したことを特徴とする請求項１記載の使い捨て紙おむつ。
【請求項４】
前記吊り紐を、取り外し自在としたことを特徴とする請求項１、２および３のいずれか一項記載の使い捨て紙おむつ。
【請求項５】
前記吊り紐の取付用具として、メカニカルテープを採用したことを特徴とする請求項４記載の使い捨て紙おむつ。
【請求項６】
前記吊り紐を、使用済みの紙おむつ本体を結束する後処理テープとして利用するように構成したことを特徴とする請求項１、２、３、４および５のいずれか一項記載の使い捨て紙おむつ。
【発明の詳細な説明】
【技術分野】
【０００１】
本願発明は、使い捨て紙おむつに関し、さらに詳しくはサイズが合わなくともズレ落ちることのない使い捨て紙おむつに関するものである。
【背景技術】
【０００２】
一般に周知されているパンツ式の使い捨て紙おむつの場合、紙おむつの胴回り部に配設された弾性伸縮体の弾性力により紙おむつの装着状態を保持するようになっている（特許文献１参照）。
【０００３】
【特許文献１】特開２００２−１６５８３２。
【発明の開示】
【発明が解決しようとする課題】
【０００４】
ところで、この種使い捨て紙おむつの場合、装着する幼児の体型（例えば、胴回りおよび太ももの大きさ）に応じて数種類のサイズが使用されることとなっているが、幼児の体型と紙おむつのサイズとが合わない場合が生ずることがある。例えば、太ももが太い幼児の場合、太ももの大きさに合わせた紙おむつを買い求めると、紙おむつの胴回りが大きすぎてズレ落ちそうに感じるし、太ももが細い幼児の場合、太ももの大きさに合わせた紙おむつを買い求めると、紙おむつの胴回りが小さすぎて胴回り部分がきついと感じる場合がある。従来周知の使い捨て紙おむつの場合、胴回り部に配設された弾性伸縮体の弾性力によってのみ装着状態の保持が行われることとなっているため、上記した幼児の体型と紙おむつのサイズとが合わない場合に対処できないという不具合がある。
【０００５】
本願発明は、上記の点に鑑みてなされたもので、紙おむつ本体を幼児の肩に掛ける吊り紐で支持することにより、紙おむつ本体がズレ落ちるのを防止できるようにすることを目的としている。
【課題を解決するための手段】
【０００６】
本願発明では、上記課題を解決するための第１の手段として、外装を形成する不織布よりなるバックシートと、着用者の肌に接して不織布よりなるトップシートと、該両シート間の股間部に設けられた吸収体とを有し、胴回りの開口径と脚回りの開口径の比率が複数段階で予じめ設定されているパンツタイプの使い捨て紙おむつにおいて、該パンツタイプの紙おむつ本体の胴回り部に、前記バックシートにおける腹側口縁と背側口縁とを連結し且つ前記吸収体を持ち上げ方向に作用させるべく幼児の肩に掛ける吊り紐を設けている。
【０００７】
上記のように構成したことにより、紙おむつ本体のサイズが幼児の体型と合わない場合にも、吊り紐を幼児の肩に掛けた状態で紙おむつ本体を装着すれば、紙おむつ本体がズレ落ちるということがなくなる。従って、紙おむつ本体における吸収体が幼児の股間に密着した状態を保持することができる。例えば、紙おむつ本体における胴回りのサイズが大きすぎる場合には、吊り紐によって紙おむつ本体がズレ落ちるのを防止できるし、紙おむつ本体における胴回りのサイズが小さすぎる場合であっても、紙おむつ本体の胴回り部に配設された弾性伸縮体の一部をカットして弾性力を弱めて紙おむつ本体を装着し、吊り紐を幼児の肩に掛ければ、紙おむつ本体がズレ落ちるのを防止できる。
【０００８】
本願発明では、さらに、上記課題を解決するための第２の手段として、上記第１の手段を備えた使い捨て紙おむつにおいて、前記吊り紐を、弾性伸縮する紐部材により構成することもでき、そのように構成した場合、身長の異なる幼児の場合であっても、吊り紐が弾性伸縮することにより、対応できる。
【０００９】
本願発明では、さらに、上記課題を解決するための第３の手段として、上記第１の手段を備えた使い捨て紙おむつにおいて、前記吊り紐を、その肩部以外の部分に弾性伸縮する部材を配設してなる紐部材により構成することもでき、そのように構成した場合、身長の異なる幼児の場合であっても、吊り紐における肩部以外の部材が弾性伸縮することにより、対応できるし、吊り紐の肩部は弾性伸縮することがないので、幼児への肩への確実なフィット感が得られる。
【００１０】
本願発明では、さらに、上記課題を解決するための第４の手段として、上記第１、第２又は第３の手段を備えた使い捨て紙おむつにおいて、前記吊り紐を、取り外し自在とすることもでき、そのように構成した場合、紙おむつ本体と吊り紐とを別々に保管できることとなり、保管し易くなる。
【００１１】
本願発明では、さらに、上記課題を解決するための第５の手段として、上記第４の手段を備えた使い捨て紙おむつにおいて、前記吊り紐の取付用具として、メカニカルテープを採用することもでき、そのように構成した場合、何度でも調整できる。
【００１２】
本願発明では、さらに、上記課題を解決するための第６の手段として、上記第１、第２、第３、第４又は第５の手段を備えた使い捨て紙おむつにおいて、前記吊り紐を、使用済みの紙おむつ本体を結束する後処理テープとして利用するように構成することもでき、そのように構成した場合、吊り紐を利用して使用済みの紙おむつ本体の後処理を行うことができることとなり、特別な後処理テープが不要となる。
【発明の効果】
【００１３】
本願発明の第１の手段によれば、外装を形成する不織布よりなるバックシートと、着用者の肌に接して不織布よりなるトップシートと、該両シート間の股間部に設けられた吸収体とを有し、胴回りの開口径と脚回りの開口径の比率が複数段階で予じめ設定されているパンツタイプの使い捨て紙おむつにおいて、該パンツタイプの紙おむつ本体の胴回り部に、前記バックシートにおける腹側口縁と背側口縁とを連結し且つ前記吸収体を持ち上げ方向に作用させるべく幼児の肩に掛ける吊り紐を設けているので、紙おむつ本体のサイズが幼児の体型と合わない場合にも、吊り紐を幼児の肩に掛けた状態で紙おむつ本体を装着すれば、紙おむつ本体がズレ落ちるということがなくなり、紙おむつ本体における吸収体が幼児の股間に密着した状態を保持することができるという効果がある。例えば、紙おむつ本体における胴回りのサイズが大きすぎる場合には、吊り紐によって紙おむつ本体がズレ落ちるのを防止できる。しかも、紙おむつ本体における胴回りのサイズが小さすぎる場合であっても、紙おむつ本体の胴回り部に配設された弾性伸縮体の一部をカットして弾性力を弱めて紙おむつ本体を装着し、吊り紐を幼児の肩に掛ければ、紙おむつ本体がズレ落ちるのを防止できるという効果もある。
【００１４】
本願発明の第２の手段におけるように、上記第１の手段を備えた使い捨て紙おむつにおいて、前記吊り紐を、弾性伸縮する紐部材により構成することもでき、そのように構成した場合、身長の異なる幼児の場合であっても、吊り紐が弾性伸縮することにより、対応できる。
【００１５】
本願発明の第３の手段におけるように、上記第１の手段を備えた使い捨て紙おむつにおいて、前記吊り紐を、その肩部以外の部分に弾性伸縮する部材を配設してなる紐部材により構成することもでき、そのように構成した場合、身長の異なる幼児の場合であっても、吊り紐における肩部以外の部材が弾性伸縮することにより、対応できるし、吊り紐の肩部は弾性伸縮することがないので、幼児への肩への確実なフィット感が得られる。
【００１６】
本願発明の第４の手段におけるように、上記第１、第２又は第３の手段を備えた使い捨て紙おむつにおいて、前記吊り紐を、取り外し自在とすることもでき、そのように構成した場合、紙おむつ本体と吊り紐とを別々に保管できるとともに、吊り紐を紙おむつ本体の後処理用テープとして利用できる。
【００１７】
本願発明の第５の手段におけるように、上記第４の手段を備えた使い捨て紙おむつにおいて、前記吊り紐の取付用具として、メカニカルテープを採用することもでき、そのように構成した場合、何度でも調整できる。
【００１８】
本願発明の第６の手段におけるように、上記第１、第２、第３、第４又は第５の手段を備えた使い捨て紙おむつにおいて、前記吊り紐を、使用済みの紙おむつ本体を結束する後処理テープとして利用するように構成することもでき、そのように構成した場合、吊り紐を利用して使用済みの紙おむつ本体の後処理を行うことができることとなり、特別な後処理テープが不要となる。
【発明を実施するための最良の形態】
【００１９】
以下、添付の図面を参照して、本願発明を幾つかの好適な実施の形態について説明する。
【００２０】
第１の実施の形態
図１ないし図５には、本願発明の使い捨て紙おむつが示されている。
【００２１】
この使い捨て紙おむつは、紙おむつ本体１と該紙おむつ本体１の胴回り部２における腹側口縁２ａと背側口縁２ｂとを連結し且つ幼児の肩に掛ける一対の吊り紐３，３とによって構成されている。
【００２２】
前記紙おむつ本体１は、従来からよく知られているパンツ式のものとされており、反着用者側に位置する（換言すれば、外装を形成する）不透液性のバックシートと、該バックシートの内面に固定される吸収体とを備えて構成されており、該吸収体は、不織布などからなり、着用者の肌に直接触れる長方形形状の透液性のトップシートと、ある程度の剛性を有する長方形形状の吸収体と、該吸収体の裏面から表面側に回り込んで表面側両側部を額巻き状態で覆っている長方形形状の不透液性の防水シートとが、ホットメルト接着剤により接着一体化されたものとされている。前記吸収体としては、解繊パルプを主体とし、高分子吸収ポリマーを併用したものが好ましく、クレープ紙で巻き込んだ形態として与えられる。
【００２３】
ところで、前記バックシートを構成するシートは、撥水性不織布であることが好ましく、不織布の材質としては、ポリプロピレン、ポリエチレン、ポリエチレンテレフタレート、ポリアミド、ナイロン、レーヨン、ビニロン、アクリルなどを挙げることができ、メルトブローン法、スパンボンド法に代表される直接法によりシート化され、ポリプロピレン、ポリエチレンテレフタレート、ナイロン繊維からなるものが好適に採用できる。短繊維を接合した、湿式法、乾式法（エアレイ法やカード法）、スパンレース法などにより、熱や接着剤により点接着、水流や針等でシートを形成しても良い。また、コア／シェル、サイドバイサイド構造の複合繊維からなる不織布も挙げることができ、この複合繊維として、ポリエチレンテレフタレート／ポリエチレン、ポリプロピレン／ポリエチレン、ポリプロピレン／ポリプロピレンなどを挙げることができる。特に、立体ギャザー用シートは、防漏性の向上を図るために、ＪＩＳ法（Ｌ−１０９２）で定められた方法で耐水圧が５０ｍｍＨ２Ｏ以上、好ましくは１００ｍｍＨ２Ｏ以上、さらに好ましくは１５０ｍｍＨ２Ｏ以上を示すシートが好ましい。例えば、ＳＭＳ（スパンボンド／メルトブロー／スパンボンド）、ＳＭ（スパンボンド／メルトブロー）、ＳＭＭＳ（スパンボンド／メルトブロー／メルトブロー／スパンボンド）等の層状に複合されたシートが好適に採用される。
【００２４】
また、前記トップシートの材質としては、親水性不織布、具体的には綿、レーヨン等のセルロース繊維、アクリロニトリル、ポリビニールアルコール等の親水性基を有する合成繊維や、ポリエチレン、ポリプロピレン、ポリエステル等の疎水性繊維を親水化剤で表面処理して親水性を付与した繊維等が用いられている。
【００２５】
上記親水化剤としては、各種の界面活性剤を使用でき、親油基と親水基とを有する親水性の界面活性剤であれば特に限定されないが、アニオン系界面活性剤、またはエチレンオキサイドを適当モル数付加した非イオン系界面活性剤が望ましい。例えば、アルキルエーテルサルフェート、スルホコハク酸エステル、ポリオキシエチレンアルキルエーテル、ポリオキシエチレンアルキルフェノールエーテル、グリセリン脂肪酸エステルなどが挙げられる。
【００２６】
また、吸収体を構成する高分子吸水ポリマーとしては、例えば、デンプンーアクリル酸共重合体架橋物、ポリアクリル酸塩架橋物、自己架橋したポリアクリル酸塩、アクリル酸エステルー酢酸ビニル共重合体架橋物のケン化物、イソブチレン、無水マレイン酸共重合体架橋物、ポリスルホン酸塩架橋物、変性セルロース誘導体、架橋ポリエチレンオキシドなどが挙げられる。好ましくは、イオン浸透圧により多量の液を吸収・保持することができ、荷重や外力が加わっても離水の少ないアクリル酸塩および／またはアクリル酸を重合体の主単量体成分とするポリアクリル酸ナトリウム系の樹脂が適当である。
【００２７】
また、防水シートとしては、ポリエチレン、ポリプロピレン等の少なくとも遮水性を有するシート材が用いられるが、近年はムレ防止の観点から透湿性を有するものが好適に用いられる傾向にある。この遮水・透湿性シート材としては、例えばポリエチレンやポリプロピレン等のオレフィン系樹脂中に無機充填材を混練してシートを成形した後、一軸または二軸方向に延伸することにより得られる微多孔性シートが好適に用いられる。
【００２８】
前記紙おむつ本体１における胴回り部２には、該紙おむつ本体２の装着状態を保持するための弾性伸縮体（例えば、ゴム）４，４・・が配設されている。
【００２９】
前記各吊り紐３は、例えば不織布からなっており、その両端部（換言すれば、腹側および背側両端部）３ａ，３ｂには、紙おむつ本体１の胴回り部２における腹側口縁２ａの外面と背側口縁２ｂの外面に設けられたメカニカルテープ受け５，５（図１参照）に対して着脱自在に接合されるメカニカルテープ６，６がそれぞれ設けられている。符号３ｃは吊り紐３における肩部である。
【００３０】
上記のように構成された使い捨て紙おむつにおいては、次のような作用効果が得られる。
【００３１】
吊り紐３，３における背側端部３ｂ，３ｂに設けられたメカニカルテープ６，６を、紙おむつ本体１の胴回り部２における背側口縁２ｂの外側に設けられたメカニカルテープ受け５，５に接合した状態で、紙おむつ本体１を幼児に装着し、吊り紐３，３を幼児の肩に掛けて、その腹側端部３ａ，３ｂに設けられたメカニカルテープ６，６を、紙おむつ本体１の胴回り部２における腹側口縁２ａの外側に設けられたメカニカルテープ受け５，５に接合すると、紙おむつ本体１のサイズが幼児の体型と合わない場合にも、吊り紐３，３の支持力により紙おむつ本体１がズレ落ちるということがなくなる（図４参照）。従って、紙おむつ本体１における吸収体が幼児の股間に密着した状態を保持することができる。例えば、紙おむつ本体１における胴回りのサイズが大きすぎる場合には、吊り紐３，３によって紙おむつ本体１がズレ落ちるのを防止できるし、紙おむつ本体１における胴回りのサイズが小さすぎる場合であっても、胴回り部２の弾性伸縮体４，４・・の一部をカットして弾性力を弱めて紙おむつ本体１を装着し、吊り紐３，３を幼児の肩に掛ければ、紙おむつ本体１がズレ落ちるのを防止できるのである。
【００３２】
また、本実施の形態においては、吊り紐３，３は、メカニカルテープ受け５，５とメカニカルテープ６，６との接合・非接合により吊り紐３，３が取り外し自在とされているので、紙おむつ本体１と吊り紐３，３とを別々に保管できることとなり、保管し易くなる。なお、メカニカルテープ６を直接紙おむつ本体１のバックシート（不織布からなっている）に接合することにより、吊り紐３の端部３ａ，３ｂを紙おむつ本体１の胴回り部２における腹側口縁２ａおよび背側口縁２ｂに連結させる場合もある。
【００３３】
前記吊り紐３は、図５（イ）に示すように、使用済みの紙おむつ本体１を丸め込んだ状態で結束する後処理用テープとしても利用できる。図５（ロ）には、取外しが不可能な吊り紐３，３を用いた場合を示しており、使用済みの紙おむつ本体１を丸め込んだ状態で吊り紐３，３で結束するが、吊り紐３，３の中間部分を巻始め部分に挟み込んで結束している。このようにすると、吊り紐３を利用して使用済みの紙おむつ本体１の後処理を行うことができることとなり、特別な後処理テープが不要となる。
【００３４】
ところで、この吊り紐３は、図６に示すように、吊り紐３の長さと同幅を有する不織布からなる帯状の素材３３の幅方向両端部３３ａ，３３ｂ（即ち、吊り紐３の腹側および背側端部３ａ，３ｂとなる部分）にメカニカルテープ６，６を貼り付け、仮想線Ｘ，Ｘ・・で示す部分を裁断することにより得られる。
【００３５】
本実施の形態においては、吊り紐３を、所定の幅を有する不織布からなるテープ形状のものとしているが、丸ゴム等からなる紐形状のものとすることもできる。
【００３６】
第２の実施の形態
図７には、本願発明の第２の実施の形態にかかる使い捨て紙おむつにおける吊り紐が示されている。
【００３７】
この場合、紙おむつ本体の構成は、第１の実施の形態において説明したと同様である。
【００３８】
吊り紐３の腹側端部３ａには、二つのメカニカルテープ６Ａ，６Ｂが長手方向に並べて設けられている。このようにすると、吊り紐３における腹側端部３ａのメカニカルテープ６Ａ，６Ｂのいずれかを、紙おむつ本体１の胴回り部２における腹側口縁２ａの外側に設けられたメカニカルテープ受け５に接合することにより、幼児の身長に合わせて吊り紐３の腹側端部３ａの留め位置を変更することができる。なお、メカニカルテープ６Ａ，６Ｂのうち内側に位置するメカニカルテープ６Ｂをメカニカルテープ受け５に接合させた場合には、メカニカルテープ６Ａが設けられている部分は不用部分となるので切除してもよい。
【００３９】
なお、メカニカルテープ６を直接紙おむつ本体１のバックシート（不織布からなっている）に接合することにより、吊り紐３の端部３ａ，３ｂを紙おむつ本体１の胴回り部２における腹側口縁２ａおよび背側口縁２ｂに連結させる場合もある。
【００４０】
本実施の形態においては、吊り紐３を、所定の幅を有する不織布からなるテープ形状のものとしているが、丸ゴム等からなる紐形状のものとすることもできる。
【００４１】
第３の実施の形態
図８には、本願発明の第３の実施の形態にかかる使い捨て紙おむつにおける吊り紐が示されている。
【００４２】
この場合、紙おむつ本体の構成は、第１の実施の形態において説明したと同様である。
【００４３】
吊り紐３における腹側端部３ａおよび背側端部３ｂ（即ち、肩部３ｃを除く部分）には、弾性伸縮体７，７・・がそれぞれ配設されている。つまり、吊り紐３が、弾性伸縮する部材により構成されることとなっているのである。このようにすると、身長の異なる幼児の場合であっても、吊り紐３が弾性伸縮することにより、対応できる。
【００４４】
なお、メカニカルテープ６を直接紙おむつ本体１のバックシート（不織布からなっている）に接合することにより、吊り紐３の端部３ａ，３ｂを紙おむつ本体１の胴回り部２における腹側口縁２ａおよび背側口縁２ｂに連結させる場合もある。
【００４５】
本実施の形態においては、吊り紐３を、所定の幅を有する不織布からなるテープ形状のものとしているが、丸ゴム等からなる紐形状のものとすることもできる。
【００４６】
第４の実施の形態
図９には、本願発明の第４の実施の形態にかかる使い捨て紙おむつにおける吊り紐が示されている。
【００４７】
この場合、紙おむつ本体の構成は、第１の実施の形態において説明したと同様である。
【００４８】
一対の吊り紐３，３は、その背側端部３ｂ，３ｂ側が交差され且つ交差部が接合された状態とされている。このようにすると、吊り紐３，３を幼児の肩部に掛けたときの安定性がでる。
【００４９】
なお、メカニカルテープ６を直接紙おむつ本体１のバックシート（不織布からなっている）に接合することにより、吊り紐３の端部３ａ，３ｂを紙おむつ本体１の胴回り部２における腹側口縁２ａおよび背側口縁２ｂに連結させる場合もある。
【００５０】
本実施の形態においては、吊り紐３を、所定の幅を有する不織布からなるテープ形状のものとしているが、丸ゴム等からなる紐形状のものとすることもできる。
【００５１】
第５の実施の形態
図１０および図１１には、本願発明の第５の実施の形態にかかる使い捨て紙おむつおよび吊り紐が示されている。
【００５２】
この場合、紙おむつ本体の構成は、第１の実施の形態において説明したと同様である。
【００５３】
吊り紐３は、紙おむつ本体１の胴回り部２における腹側口縁２ａおよび背側口縁の中央部外面に取り付けられる１本の幅広な（例えば、通常の２倍の幅を有する）腹側端部３ａおよび背側端部３ｂと、該腹側端部３ａと背側端部３ｂとの間にあって分割線８によって二つに分割された一対の肩部３ｃ，３ｃとによって構成されている。そして、吊り紐３における背側端部３ｂは、紙おむつ本体１の背側口縁２ｂに対して熱溶着９により固着される一方、吊り紐３における腹側端部３ａは、紙おむつ本体１の腹側口縁２ａに対してメカニカルテープ６を介して着脱自在に取り付けられることとなっている。符号１０は前記分割線８の両端部に形成された破断防止用の円弧部である。このようにすると、１本の吊り紐３で紙おむつ本体１の脱落を防止することができる。なお、吊り紐３自体を弾性伸縮する部材（例えば、ゴム等）で構成し、あるいは吊り紐３を不織布で構成し且つ腹側端部３ａおよび背側端部３ｂに弾性伸縮する部材（例えば、ゴム等）を配設することもでき、そのようにすると、身長の異なる幼児の場合であっても、吊り紐３が弾性伸縮することにより、対応できる。
【００５４】
なお、メカニカルテープ６を直接紙おむつ本体１のバックシート（不織布からなっている）に接合することにより、吊り紐３の端部３ａを紙おむつ本体１の胴回り部２における腹側口縁２ａに連結させる場合もある。
【００５５】
第６の実施の形態
図１２には、本願発明の第６の実施の形態にかかる使い捨て紙おむつが示されている。
【００５６】
この場合、第５の実施の形態における吊り紐３の腹側端部３ａを幼児の腹部を覆い得るように幅広に形成して腹巻きを兼用するようにしており、前記腹側端部３ａは、紙おむつ本体１の腹側口縁２ａと一体的に結合されている。このようにすると、吊り紐３が、幼児の腹部を保護する腹巻きを兼用できることとなる。この場合にも、吊り紐３自体を弾性伸縮する部材（例えば、ゴム等）で構成し、あるいは吊り紐３を不織布で構成し且つ腹側端部３ａおよび背側端部３ｂに弾性伸縮する部材（例えば、ゴム等）を配設することもでき、そのようにすると、身長の異なる幼児の場合であっても、吊り紐３が弾性伸縮することにより、対応できる。
【００５７】
なお、上記各実施の形態においては、吊り紐３を紙おむつ本体１に取り付けるための取付用具としてメカニカルテープを採用し、吊り紐３は取り外し自在となっているが、吊り紐３の端部を取り付ける方法としては、縫い付け、ホットメルト接着剤による接着、ヒートシール、超音波等による溶着、ボタンによる係合、バンド金具による係合等を選択することができる。縫い付け、ホットメルト接着剤による接着、ヒートシール、超音波等による溶着を採用した場合、吊り紐３は取り外し自在とはならない。
【図面の簡単な説明】
【００５８】
【図１】本願発明の第１の実施の形態にかかる使い捨て紙おむつの側面図である。
【図２】本願発明の第１の実施の形態にかかる使い捨て紙おむつの正面図である。
【図３】本願発明の第１の実施の形態にかかる使い捨て紙おむつにおける吊り紐の展開状態を示す背面図である。
【図４】本願発明の第１の実施の形態にかかる使い捨て紙おむつを着用した幼児を示す斜視図である。
【図５】本願発明の第１の実施の形態にかかる使い捨て紙おむつにおける吊り紐を後処理用テープとして利用した状態を示す斜視図であり、（イ）は吊り紐が紙おむつ本体から取り外せる場合を示し、（ロ）は吊り紐が紙おむつ本体から取り外せない場合を示している。
【図６】本願発明の第１の実施の形態にかかる使い捨て紙おむつにおける吊り紐の製造手順を示す平面図である。
【図７】本願発明の第２の実施の形態にかかる使い捨て紙おむつにおける吊り紐の展開状態を示す背面図である。
【図８】本願発明の第３の実施の形態にかかる使い捨て紙おむつにおける吊り紐の展開状態を示す背面図である。
【図９】本願発明の第４の実施の形態にかかる使い捨て紙おむつにおける吊り紐の展開状態を示す背面図である。
【図１０】本願発明の第５の実施の形態にかかる使い捨て紙おむつの正面図である。
【図１１】本願発明の第５の実施の形態にかかる使い捨て紙おむつにおける吊り紐の展開状態を示す背面図である。
【図１２】本願発明の第６の実施の形態にかかる使い捨て紙おむつを着用した幼児を示す斜視図である。
【符号の説明】
【００５９】
１は紙おむつ本体
２は胴回り部
２ａは腹側口縁
２ｂは背側口縁
３は吊り紐
３ａは腹側端部
３ｂは背側端部
４は弾性伸縮体
５はメカニカルテープ受け
６はメカニカルテープ
７は弾性伸縮体
【図１】
2006149588.tif 000003
【図２】
2006149588.tif 000004
【図３】
2006149588.tif 000005
【図４】
2006149588.tif 000006
【図５】
2006149588.tif 000007
【図６】
2006149588.tif 000008
【図７】
2006149588.tif 000009
【図８】
2006149588.tif 000010
【図９】
2006149588.tif 000011
【図１０】
2006149588.tif 000012
【図１１】
2006149588.tif 000013
【図１２】
2006149588.tif 000014